(57)【要約】【課題】被写体に表されている情報の一部を読み取るようにすることができるようにする。【解決手段】原稿上に表されている特定色の情報を読み取り対象外とするようにユーザから指示されている場合には（ステップＳ８）、上記指示された特定色の光を点灯して（ステップＳ２２）、上記原稿上に表されている情報をモノクロ情報（２値情報）としてスキャンすることにより（ステップＳ２４）、上記特定色の情報を読み取らないようにする。【選択図】      図３
2004193785.tif 000002
【特許請求の範囲】
【請求項１】
光源から被写体へ向けて光を発光し、上記発光した光の上記被写体からの光をセンサーにて受光して、上記被写体に表されている情報を読み取り、上記読み取った内容に基づいて画像データを得るようにするスキャナー装置であって、
上記被写体に特定色で表されている情報を読み取り対象外にするか否かを、ユーザによる操作内容に基づいて選択する読み取り対象選択手段と、
上記被写体に特定色で表されている情報を読み取り対象外にすることが上記読み取り対象選択手段により選択された場合に、上記光源の発光により上記特定色に対応した色の光を上記被写体に照射することによって、上記特定色に対応する色で上記被写体に表されている情報を読み取り対象外にする読み取り対象除外手段とを有することを特徴とするスキャナー装置。
【発明の詳細な説明】
【０００１】
【発明の属する技術分野】
本発明は、スキャナー装置に関し、特に、被写体に表されている情報の読み取りを行うために用いて好適なものである。
【０００２】
【従来の技術】
光源の発光色を切り換えてカラー画像の読み取りを行うカラースキャナーがある。この様なスキャナーでは、光源に赤色（Ｒｅｄ）、青色（Ｂｌｕｅ）、及び緑色（Ｇｒｅｅｎ）の３色のＬＥＤを用いたライン型イメージセンサーを用いている。
【０００３】
以下に、このライン型イメージセンサーの動作について説明する。
まず、赤色（Ｒｅｄ）ＬＥＤを点灯させて主走査１ラインの読み取りを行うことでカラー画像の赤色成分（Ｒｅｄ成分）を得る。次に、緑色（Ｇｒｅｅｎ）ＬＥＤを点灯させて緑色（Ｇｒｅｅｎ）成分を得る。最後に、青色（Ｂｌｕｅ）ＬＥＤを点灯させて青色（Ｂｌｕｅ）成分を得る。
【０００４】
そして、これら３色の読み取りが終了すると副走査方向に原稿を搬送し、次のラインの読み取りを行う。これを繰り返して１ページ分のカラー画像の読み取りを行う。
【０００５】
また、モノクロ情報の読み取り時は、上記赤色（Ｒｅｄ）、青色（Ｂｌｕｅ）、及び緑色（Ｇｒｅｅｎ）の３色のＬＥＤを同時に点灯して上記モノクロ情報の読み取りを行う。
【０００６】
【発明が解決しようとする課題】
しかしながら、上述した従来の技術では、カラー情報の読み取り時には、原稿情報の全てのカラー情報を読み取っていた。また、モノクロ情報の読み取り時には、原稿情報の全ての情報をモノクロ情報として読み取っていた。
【０００７】
すなわち、従来の技術では、カラー情報でもモノクロ情報でも、読み取り可能な情報を全て読み取っていた。このため、例えば、ＦＡＸ塾を考えた場合、問題用紙と、その解答を記入した用紙とを２種類作成して、ＦＡＸ送信しなければならなかった。したがって、作成する原稿が多くなり、無駄になるという欠点があった。
このように、従来の技術では、被写体に表されている情報の一部を読み取るようにすることが困難であるという問題点があった。
【０００８】
本発明は上述の問題点に鑑みてなされたものであり、被写体に表されている情報の一部を読み取るようにすることができるようにすることを目的とする。
【０００９】
【課題を解決するための手段】
本発明のスキャナー装置は、光源から被写体へ向けて光を発光し、上記発光した光の上記被写体からの光をセンサーにて受光して、上記被写体に表されている情報を読み取り、上記読み取った内容に基づいて画像データを得るようにするスキャナー装置であって、上記被写体に特定色で表されている情報を読み取り対象外にするか否かを、ユーザによる操作内容に基づいて選択する読み取り対象選択手段と、上記被写体に特定色で表されている情報を読み取り対象外にすることが上記読み取り対象選択手段により選択された場合に、上記光源の発光により上記特定色に対応した色の光を上記被写体に照射することによって、上記特定色に対応する色で上記被写体に表されている情報を読み取り対象外にする読み取り対象除外手段とを有することを特徴としている。
かかる構成では、上記特定色に対応する色と異なる色で被写体に表されている情報に基づく画像データが得られるようになる。
【００１０】
【発明の実施の形態】
（第１の実施の形態）
以下、図面を参照しながら、本発明のスキャナー装置の第１の実施の形態を詳細に説明する。
図１は、本発明の第１の実施の形態を示し、スキャナー装置の構成の一例を示したブロック図である。
【００１１】
図１において、１はスキャナー装置全体を制御する制御部であり、図示していないＲＯＭに書き込まれたプログラムに従ってスキャナー装置全体の制御を行う。
【００１２】
２は、上記制御部１が動作するための基準クロックを生成する発振子である。３は赤色（Ｒ）ＬＥＤ、４は緑色（Ｇ）ＬＥＤ、５は青色（Ｂ）ＬＥＤである。また、６、７、８は、それぞれ各色のＬＥＤ３、４、５をドライブする（点灯させる）ためのトランジスタである。９、１０、１１は、各色のＬＥＤ３、４、５の制限抵抗である。
【００１３】
１２はモータドライバである。１３は読み取る原稿を搬送するためのモータ（Ｒ（ＲＥＡＤ＝読み取り）モータ、以下Ｒモータと称する）である。１４はイメージセンサーである。１５は増幅器である。１６はＡ／Ｄ変喚器である。なお、本実施の形態におけるイメージセンサーは、ライン型イメージセンサーである。
【００１４】
１７は１画素の転送クロックである。１８は上記イメージセンサー１４の蓄積時間、及びデータ転送時間によって決まるライン同期信号である。１９は上記イメージセンサー１４から出力される画像信号である。２０はＡ／Ｄ変換器１６によりデジタルデータに変換された画像信号である。
【００１５】
図２は、本実施の形態のスキャナー装置による読み取り動作を説明するタイムチャートである。
図２（ａ）は、カラー情報の読み取りを表している。信号ＳＨに同期して、赤色（Ｒ）ＬＥＤ３の点灯と、緑色（Ｇ）ＬＥＤ４の点灯と、青色（Ｂ）ＬＥＤ５の点灯とを順次行い、カラー情報の１ライン中のＲＧＢ成分を順次読み取る。また、赤色（Ｒ）ＬＥＤ３の点灯を開始するタイミングでＲモータ１３の相切り換えを実行し、原稿を１ライン分搬送する。
【００１６】
図２（ｂ）は、特定色を読み取らない制御を実行しない場合におけるモノクロ情報の読み取りを表している。信号ＳＨに同期して、赤色（Ｒ）ＬＥＤ３と、緑色（Ｇ）ＬＥＤ４と、青色（Ｂ）ＬＥＤ５とを同時に点灯（１成分のＬＥＤのみを点灯する時の電流値の１／３の電流を各ＬＥＤ３〜５に流す）し、モノクロ情報（２値情報）として原稿を読み取る。また、信号ＳＨに同期して、Ｒモータ１３の相切り換えを実行し、原稿を１ライン分搬送する。
【００１７】
図２（ｃ）は、特定色を読み取らない制御を実行した場合におけるモノクロ情報の読み取りを表している。特定色として赤が選択されていると、信号ＳＨに同期して、赤色（Ｒ）ＬＥＤ３を点灯して、モノクロ情報（２値情報）として原稿を読み取る。
【００１８】
また、信号ＳＨに同期して、Ｒモータ１３の相切り換えを実行し、原稿を１ライン分搬送する。
同様に、特定色として青が選択されていると、赤色（Ｒ）ＬＥＤ３の点灯を青色（Ｂ）ＬＥＤ５の点灯に切り換える。また、特定色として緑が選択されていると、赤色（Ｒ）ＬＥＤ３の点灯を緑色（Ｇ）ＬＥＤ４の点灯に切り換える。
【００１９】
制御部１は、原稿の主走査方向の１ラインに記載されている情報を光源の発光色を変えて複数回読み取り、カラー画像データを得る処理と（図２（ａ）を参照）、複数色の光源を同時に点灯して原稿に記載されている情報を読み取り、モノクロ画像データを得る処理と（図２（ｂ）を参照）とを行う。
【００２０】
なお、上述したように本実施の形態では、上記複数色を、赤色（Ｒ）、緑色（Ｇ）、青色（Ｂ）とする。
【００２１】
また、制御部１は、原稿に記載されている特定色の情報を読み取らない手段と、上記特定色の情報を読み取らないことを選択する手段とを有し、上記特定色の情報を読み取らないことが選択されていると、上記特定色の読み取りを実行しないようにする処理も行う（図２（ｃ）を参照）。
【００２２】
また、制御部１は、複数色の中から上記特定色を選択する手段を有する。この手段は、ユーザの選択操作に基づいて実行される。本実施の形態では、選択可能な特定色を、赤色（Ｒ）、緑色（Ｇ）、及び青色（Ｂ）とする。
【００２３】
さらに、制御部１は、カラースキャン選択手段を有し、上記特定色の情報を読み取らないことが選択されている場合には、スキャン情報を２値情報として読み取る。一方、上記特定色の情報を読み取らないことが選択されておらず、且つカラースキャンが選択されている場合には、スキャン情報をカラー情報として読み取る。また、上記特定色の情報を読み取らないことが選択されておらず、且つカラースキャンが選択されていない場合には、スキャン情報を２値情報として読み取る。
以上のようにして、本実施の形態におけるスキャナー装置の制御を実行する。
【００２４】
図３〜６は、本実施の形態のスキャナー装置に配設されている制御部１の制御動作の一例を説明するフローチャートである。
図３において、ステップＳ０は、処理の始めを表している。
そして、ステップＳ２において、赤色（Ｒ）ＬＥＤ３を消灯する。
【００２５】
次に、ステップＳ４において、緑色（Ｇ）ＬＥＤ４を消灯する。
次に、ステップＳ６において、青色（Ｂ）ＬＥＤ５を消灯する。
【００２６】
次に、ステップＳ８において、図示しない操作部の情報を入力し、特定色の読み取りをしないことが選択されているか否かを判断する。この判断の結果、特定色の読み取りをしないことが選択されている場合には、ステップＳ１０に進む。一方、特定色の読み取りをしないことが選択されていない場合には、後述する図５のステップＳ３２に進む。
【００２７】
次に、ステップＳ１０において、図示しない操作部の情報を入力し、どの特定色の読み取りが選択されているのかを判断する。この判断の結果、特定色として緑が選択されている場合にはステップＳ１２に進み、ＣＯＬＯＲにＧ（緑）をセットする。
【００２８】
また、特定色として赤が選択されている場合にはステップＳ１４に進み、ＣＯＬＯＲにＲ（赤）をセットする。また、特定色として青が選択されている場合にはステップＳ１６に進み、ＣＯＬＯＲにＢ（青）をセットする。
【００２９】
そして、ステップＳ１８において、信号ＳＨを出力する。
次に、ステップＳ２０において、Ｒ（ＲＥＡＤ＝読み取り）モータ１３の相を切り換える。
次に、ステップＳ２２において、ステップＳ１２、Ｓ１４、Ｓ１６でセットされた色（ＣＯＬＯＲ）を発光するＬＥＤ３〜５に電流値Ｘ［Ａ］の電流を流して、ステップＳ１２、Ｓ１４、Ｓ１６でセットされた色（ＣＯＬＯＲ）の光を点灯する。
【００３０】
次に、ステップＳ２４において、前ラインの読み取り情報をＤＩＮにて入力し、２値情報として処理する。そして、この処理では、例えば、２［ＭＨｚ］のクロックをＡ４、８［ｐｅｌ／ｍｍ］のビット数１７２８ビット以上与えるようにする。
【００３１】
このように、本実施の形態では、上記特定色を読み取らないことが選択されている場合には、原稿に記載されている情報をモノクロ情報（２値情報）としてスキャンするようにして、上記特定色を読み取らないことが選択されている時のカラースキャナーにおけるスキャン情報を明確にしている。
【００３２】
次に、図４のステップＳ２６において、点灯中のＬＥＤ３〜５を消灯する。
次に、ステップＳ２８において、原稿に読み取り情報があるか否かを判断する。この判断の結果、読み取り情報がある場合には上述したステップＳ１８に戻る。一方、読み取り情報がない場合にはステップＳ３０に進み、処理を終了する。
【００３３】
上述したステップＳ８において、特定色の読み取りをしないことが選択されていない場合には、図５のステップＳ３２において、図示しない操作部の情報を入力し、カラー情報の読み取りが選択されているか否かを判断する。
【００３４】
この判断の結果、カラー情報の読み取りが選択されている場合には、後述する図７のステップＳ４８に進む。一方、カラー情報の読み取りが選択されていない場合にはステップＳ３４に進む。
【００３５】
そして、ステップＳ３４において、信号ＳＨを出力する。
次に、ステップＳ３６において、Ｒ（ＲＥＡＤ＝読み取り）モータ１３の相を切り換える。
【００３６】
次に、ステップＳ３８において、赤色（Ｒ）ＬＥＤ３と、緑色（Ｇ）ＬＥＤ４と、青色（Ｂ）ＬＥＤ５とに、電流値Ｘ／３［Ａ］（ステップＳ２２で流した電流の３分の１の電流値）の電流を流して全てのＬＥＤ３〜５を点灯し、赤色（Ｒ）、緑色（Ｇ）、青色（Ｂ）の色（ＣＯＬＯＲ）の光を発光する。
【００３７】
次に、図６のステップＳ４０において、前ラインの読み取り情報をＤＩＮにて入力し、２値情報として処理する。そして、この処理では、例えば、２［ＭＨｚ］のクロックをＡ４、８［ｐｅｌ／ｍｍ］のビット数１７２８ビット以上与えるようにする。
【００３８】
次に、ステップＳ４２において、赤色（Ｒ）ＬＥＤ３と、緑色（Ｇ）ＬＥＤ４と、青色（Ｂ）ＬＥＤ５とから発光されている赤色（Ｒ）、緑色（Ｇ）、青色（Ｂ）の３色の光を全て消灯する。
【００３９】
次に、ステップＳ４４において、原稿に読み取り情報があるか否かを判断する。この判断の結果、読み取り情報がある場合には上述したステップＳ３４に戻る。一方、読み取り情報がない場合にはステップＳ４６に進み、処理を終了する。
【００４０】
上述したステップＳ３２において、カラー情報の読み取りが選択されている場合には、図７のステップＳ４８において、ＣＯＬＯＲにＲ（赤）をセットする。
次に、ステップＳ５０において、Ｒ（ＲＥＡＤ＝読み取り）モータ１３の相を切り換える。
【００４１】
次に、ステップＳ５２において、信号ＳＨを出力する。
次に、ステップＳ５４において、ＣＯＬＯＲに設定されている色の光を発光するＬＥＤ３〜５に電流値Ｘ［Ａ］の電流を流して、ＣＯＬＯＲに設定されている色の光を点灯する。
【００４２】
次に、図８のステップＳ５６において、１つ前のカラー読み取りライン情報をＤＩＮにて入力し、Ｒ、Ｇ、Ｂのカラー情報として処理する。この処理では例えば、２［ＭＨｚ］のクロックをＡ４、８［ｐｅｌ／ｍｍ］のビット数１７２８ビット以上与えるようにする。
【００４３】
次に、ステップＳ５８において、ＣＯＬＯＲに設定されている色の光を発光するＬＥＤ３〜５を消灯する。
次に、ステップＳ６０において、ＣＯＬＯＲに設定されている色を判定する。この判定の結果、Ｒ（赤）が設定されている場合には、ステップＳ６２に進んでＣＯＬＯＲにＧ（緑）をセットし、上述したステップＳ５２の処理に戻る。
【００４４】
また、Ｇ（緑）が設定されている場合には、ステップＳ６４に進んで、ＣＯＬＯＲにＢ（青）をセットし、上述したステップＳ５２に戻る。Ｂ（青）が設定されている場合にはステップＳ６６に進む。
【００４５】
そして、ステップＳ６６において、原稿に読み取り情報があるか否かを判断する。この判断の結果、読み取り情報がある場合には、上述したステップＳ４８の処理に戻る。一方、読み取り情報がない場合には、ステップＳ６８に進み、処理を終了する。
【００４６】
以上のように本実施の形態では、原稿に記載されている特定色の情報を読み取り対象外とすることが、ユーザから指示された場合には、上記指示された特定色の光を点灯して、上記原稿に記載されている情報をモノクロ情報（２値情報）としてスキャンするようにしたので、特定色（例えば赤色のみ）の情報を読み取らないようにすることができ、上記特定色と異なる色で上記原稿に記載されている情報のみを読み取ることができる。これにより、原稿に記載されている情報の一部を読み取ることができる。したがって、１枚の原稿用紙に記載されている情報から、２種類以上の情報を作り出すことができ、保管する原稿用紙の枚数を少なくすることができるようになる。
【００４７】
例えば、一般のお客さんに渡す情報を黒文字で書き、お客さんに販売を薦める時の注意事項を赤文字で書いておけば、１枚の原稿用紙に記載されている情報から２種類の原稿を得ることができ、保管しておくべき原稿枚数を少なくすることができるというメリットが得られる。
【００４８】
この場合、上記特定色を、赤色のみ、緑色のみ、または青色のみ等とすることにより、１枚の原稿用紙に記載されている情報から多種類の原稿を得ることができる。例えば、一般のお客さんに渡す情報を黒文字で書き、お客さんに販売を薦める時の注意事項を赤文字、緑文字、または青文字で書いておけば、１枚の原稿用紙に記載されている情報から多種類の原稿を得ることができるようになる。また、各会社ごとに異なる特定色を選択するようにし、上記各会社に対して異なる内容の原稿を作成するというような使用形態にすることもできる。
【００４９】
また、上記原稿に記載されている特定色の情報を読み取ることが選択されている場合には、上記原稿に記載されている情報をカラー情報で読み取ることが選択されているか否かを判断し、カラー情報で読み取ることが選択されている場合には上記原稿に記載されている情報をカラー情報としてスキャンする一方、選択されていない場合には上記原稿に記載されている情報をモノクロ情報（２値情報）としてスキャンするようにしたので、カラースキャンを行うか否かの選択と、特定色の情報を読み取るか否かの選択とに基づいて、スキャン情報を２値情報にするか、それともカラー情報にするのかを決定することができる。これにより、作成される画像データがモノクロになるのか、それともカラーになるのかを明確且つ容易にユーザに判別させることができ、ユーザの使用範囲を判りやすくすることができる。
【００５０】
なお、本実施の形態において、カラー読み取りの時には、赤色ＬＥＤ３を点灯するタイミングでＲモータ１３の相切り換えをして、Ｒモータ１３の搬送のトリガをかけるようにした。
【００５１】
しかしながら、カラー読み取りの時には、Ｒ（赤色）、Ｇ（緑色）、Ｂ（青色）ＬＥＤ３〜５を点灯するタイミングで毎回、Ｒモータ１３の相切り換えを実行してもよい。このようにすれば、Ｒモータ１３の相切り換えを１回実行したときの搬送距離をモノクロ読み取り時よりも短くすることができる。
また、上記ステップＳ２２において、ステップＳ１２、Ｓ１４、Ｓ１６でセットされた色（ＣＯＬＯＲ）を発光するＬＥＤ３〜５に電流値Ｘ［Ａ］の電流を流して、ステップＳ１２、Ｓ１４、Ｓ１６でセットされた色（ＣＯＬＯＲ）の光を点灯するよう構成した。これは、Ｓ１２、Ｓ１４、Ｓ１６で特定色として設定しなくても、例えば、「添削モード」をセットした場合にはステップＳ２２において、Ｇ（緑色）、Ｂ（青色）のＬＥＤをセットする、「採点モード」をセットし場合にはステップＳ２２において、Ｒ（赤色）のＬＥＤをセットするなどのように、ユーザの所望するモードに対応したスキャナー読み取りを可能な特定色をセットすることも好適である。この場合、ユーザは読み取りモードを容易に認識することができるだろう。
【００５２】
（第２の実施の形態）
次に、図面を参照しながら、本発明の第２の実施の形態について説明する。
上述した第１の実施の形態では、原稿上の特定色の情報を読み取らないようにする制御をスキャナー装置で行う場合について説明したが、本実施の形態では、上述した第１の実施の形態で説明した制御（図２〜図８）をファクシミリ装置で行うようにする。
【００５３】
図９は、本発明の実施の形態を示し、ファクシミリ装置の構成の一例を示したブロック図である。
【００５４】
２２は、ＮＣＵ（網制御装置）であり、電話網をデータ通信等に使用するために、その回線の端末に接続して、電話交換網への接続制御を行ったり、データ通信路への切り換えを行ったり、ループの保持を行ったりするものである。
【００５５】
また、ＮＣＵ２２は、バス４６からの制御により、電話回線２２ａを電話機２４側に接続（ＣＭＬオフ）したり、電話回線２２ａをファクシミリ装置側に接続（ＣＭＬオン）したりするものである。なお、通常状態では、電話回線２２ａは、電話機２４側に接続されている。
【００５６】
２４は、電話機である。
２６は、ハイブリッド回路であり、送信系の信号と受信系の信号とを分離し、加算回路３２からの送信信号をＮＣＵ２２経由で電話回線２２ａに送出する。また、このハイブリッド回路２６は、相手側からの信号をＮＣＵ２２経由で受け取り、信号線２６ａ経由で変復調器２８に送る。
【００５７】
２８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス４６の制御により、各伝送モードが指定される。
【００５８】
変復調器２８は、バス４６からの送信信号を入力して変調を行い、変調データを信号線２８ａに出力する。また、変復調器２８は、信号線２６ａに出力されている受信信号を入力して復調を行い、復調データをバス４６に出力する。
【００５９】
３０は、発呼回路であり、バス４６からの信号により、電話番号情報を入力し、信号線３０ａにＤＴＭＦ（Ｄｉａｌ  Ｔｏｎｅ  Ｍｕｌｔｉ  Ｆｒｅｑｕｅｎｃｙ）の選択信号を出力する。
【００６０】
３２は、加算回路であり、信号線２８ａの情報と信号線３０ａの情報とを入力して加算し、加算した結果を信号線３２ａに出力する。
【００６１】
３４は、カラー情報を読み取り可能な読取回路であり、読み取りデータをバス４６に出力する。
【００６２】
３６は、カラー情報を記録可能な記録回路であり、バス４６に出力されている情報を１ライン毎に順次記録する。
【００６３】
３８は、メモリ回路であり、ワーク用のメモリ（ＲＡＭ）としての機能を有するとともに、読み取りデータの生情報や、符号化した情報を格納したり、受信情報や復号化した情報等を、バス４６を介して格納したりするために使用する。
【００６４】
４０は、操作部であり、ワンタッチダイヤル、短縮ダイヤル、テンキー、＊キー、＃キー、スタートキー、ストップキー、セットキー、特定色の読み取りをしないことをユーザに選択させるための選択キー、特定色をユーザに選択させるための選択キー、その他のファンクションキーなどを有している。また、この操作部４０が押下されることにより発生するキー情報は、バス４６に出力される。
【００６５】
さらに、操作部４０は、表示部を有しており、バス４６に出力されている情報をこの表示部に表示するように構成されている。
【００６６】
４２は、ＣＰＵ（中央処理装置）であり、ファクシミリ全体の制御をしたり、ファクシミリ伝送制御手順を実行したりする。このＣＰＵ４２で行われる処理を実行するための制御プログラムは、ＲＯＭ４４に格納されている。
４６は、バスである。
【００６７】
図１０〜図１３は、本実施の形態のファクシミリ装置における制御動作の一例を説明するフローチャートである。
図１０において、ステップＳ７０は、処理の始めを表している。
【００６８】
そして、ステップＳ７２において、ＣＰＵ４２は、バス４６を介して、メモリ３８をイニシャライズする。
次に、ステップＳ７４において、ＣＰＵ４２は、バス４６を介して、操作部４０に配設されている表示部の表示内容をクリアする。
【００６９】
次に、ステップＳ７６において、ＣＰＵ４２によるバス４６からの制御により、ＮＣＵ２２は、ＣＭＬをオフ（電話回線２２ａを電話機２４側に接続）する。
【００７０】
次に、ステップＳ７８において、ＣＰＵ４２は、操作部４０からのキー情報に基づいて、ファクシミリ送信が選択されたか否かが判断する。この判断の結果、ファクシミリ送信が選択された場合には、ステップＳ８２に進む。一方、ファクシミリ送信が選択されていない場合には、ステップＳ８０に進み、その他の処理を実行し、上述したステップＳ７６に戻る。
【００７１】
次に、ステップＳ８２において、ＣＰＵ４２によるバス４６からの制御によりＮＣＵ２２は、ＣＭＬをオン（電話回線２２ａをファクシミリ装置側に接続）する。
【００７２】
次に、ステップＳ８４において、発呼回路３０は、操作部４０からのキー情報に基づく指定された宛先へ発呼する。
次に、ステップＳ８６において、ＣＰＵ４２などは、所定の前手順処理を行う。
【００７３】
次に、ステップＳ８８において、ＣＰＵ４２は、操作部４０からのキー情報に基づいて、特定色の読み取りをしないことが選択されているか否かを判断する。この判断の結果、特定色の読み取りをしないことが選択されている場合には、ステップＳ９０に進む。一方、特定色の読み取りをしないことが選択されていない場合には、後述する図１２のステップＳ９６に進む。
【００７４】
そして、ステップＳ９０において、ＣＰＵ４２などは、カラー送信を指定しない処理を含む残りの前手順処理を行う。
次に、図１１のステップＳ９２において、図３から図８に示す上述した制御に基づいて、選択された特定色の読み取りをしないで、１ページ分の原稿情報（画情報）をモノクロで読み取り、読み取り内容をモノクロ情報として送信する。そして、読み取った全ての原稿についての原稿情報を順次送信する。なお、図３から図８に示す制御は、ＣＰＵ４２で行うようにする。
次に、ステップＳ９４において、ＣＰＵ４２などは、所定の後手順処理を行って、上述したステップＳ７６に戻る。
【００７５】
上述したステップＳ８８において、特定色の読み取りをしないことが選択されていないと判断した場合には、図１２のステップＳ９６において、ＣＰＵ４２は、操作部４０からのキー情報に基づいて、カラー読み取りが選択されているか否かを判断する。この判断の結果、カラー読み取りが選択されている場合には、ステップＳ９８に進む。一方、カラー読み取りが選択されていない場合には、後述する図１３のステップＳ１０６に進む。
【００７６】
そして、ステップＳ９８において、ＣＰＵ４２は、相手受信機にＪＰＥＧ受信機能とフルカラー受信機能とがあるか否かを判断する。この判断の結果、これらの機能がある場合には、ステップＳ１００に進む。一方、これらの機能がない場合には、後述する図１３のステップＳ１０６に進む。
【００７７】
そして、ステップＳ１００において、ＣＰＵ４２は、ＪＰＥＧ送信とフルカラー送信とを指定する処理を含む残りの前手順処理を行う。
次に、ステップＳ１０２において、図３から図８に示す上述した制御に基づいて、１ページ分の原稿情報（画情報）をカラーで読み取り、読み取り内容をカラー情報として送信する。そして、読み取った全ての原稿についての原稿情報を順次送信する。なお、図３から図８に示す制御は、ＣＰＵ４２で行うようにする。
次に、ステップＳ１０４において、ＣＰＵ４２は、所定の後手順処理を行って、上述したステップＳ７６に戻る。
【００７８】
上述したステップＳ９６において、カラー読み取りが選択されていると判断した場合と、ステップＳ９８において、相手受信機にＪＰＥＧ受信機能とフルカラー受信機能とがないと判断した場合には、図１３のステップＳ１０６において、ＣＰＵ４２は、残りの前手順処理を行う。
【００７９】
次に、ステップＳ１０８において、図３から図８に示す上述した制御に基づいて、選択された特定色の読み取りをしない制御をすることなく、１ページ分の原稿情報（画情報）をモノクロで読み取り、読み取り内容をモノクロ情報として送信する。そして、読み取った全ての原稿についての原稿情報を順次送信する。なお、図３から図８に示す制御は、ＣＰＵ４２で行うようにする。
次に、ステップＳ１１０において、ＣＰＵ４２は、所定の後手順処理を行って、上述したステップＳ７６に戻る。
【００８０】
以上のように本実施の形態のファクシミリ装置においても上述した第１の実施の形態と同様に、原稿に記載されている特定色（例えば赤色のみ）の情報を読み取らないようにすることができ、原稿に記載されている情報の一部の情報のみを読み取ることができる。これにより、１枚の原稿用紙に記載されている情報から、２種類以上の情報を作り出すことができるようになる。すなわち、本実施の形態のファクシミリ装置は、上述した第１の実施の形態と同じ効果を有する。
【００８１】
ただし、本実施の形態では、例えば、ＦＡＸ塾を考えることができる。この場合、問題用紙を黒文字で書き、解答を赤文字で書いておけば、１枚の原稿情報でこれらの２種類の原稿を作成することができ、従来のように、問題用紙と、その解答を記入した用紙とを２種類作成する必要がなくなる。これにより、保管しておくべき原稿枚数を少なくすることができる。このように、図３から図８に示す制御をファクシミリ装置に適用することにより、スキャナー装置単体では実現することが困難な利用形態を実現することができる。
【００８２】
（第３の実施の形態）
次に、図面を参照しながら、本発明の第３の実施の形態について説明する。
本実施の形態のファクシミリ装置は、上述した第２の実施の形態で説明したファクシミリ装置に対し、原稿に特定色で記載されている情報を送信しないことをユーザからの指示に基づいて選択する手段を付加し、このような選択をした場合には、特定色の読み取りを実行しないようにする。
【００８３】
ここで、上記原稿に特定色で記載されている情報とは、例えば、ＦＡＸ塾において、黒文字の問題と、赤文字の解答とが記載された原稿（用紙）における上記赤文字の解答である。
【００８４】
このように、本実施の形態のファクシミリ装置と、上述した第２の実施の形態のファクシミリ装置とは、処理の一部が異なるだけであるので、上述した第２の実施の形態のファクシミリ装置と同一の部分には、同一の符号を付して詳細な説明を省略する。
【００８５】
本実施の形態のファクシミリ装置では、特定色の選択を行わずに、例えば、赤色に固定する。
図１４は、本実施の形態のファクシミリ装置における主要な制御動作の一例を説明するフローチャートである。図１４のフローチャートでは、図３から図８、及び図１０から図１３のフローチャートと異なる処理について図示している。
【００８６】
図１４において、ステップＳ１２０は、図１０のステップＳ８６を表している。
そして、図１０のステップＳ８８の代わりに図１４のステップＳ１２２の処理を行う。具体的に説明すると、ステップＳ１２２において、ＣＰＵ４２は、操作部４０からのキー情報に基づいて、上記赤文字の解答を送信しないことが選択されているか否かを判断する。この判断の結果、上記赤文字の解答を送信しないことが選択されている場合には、ステップＳ１２４（図１０のステップＳ９０）に進む。一方、上記赤文字の解答を送信しないことが選択されていない場合には、ステップＳ１２６（図１２のステップＳ９６）に進む。
【００８７】
また、上述した図１１のステップＳ９２では、選択された特定色の読み取りをしないで、１ページ分の原稿情報（画情報）をモノクロで読み取るようにしているが、本実施の形態では、このステップＳ９２において、赤色の読み取りをしないで、１ページ分の原稿情報（画情報）をモノクロで読み取るようにする。
【００８８】
また、本実施の形態のファクシミリ装置では、上述した図３のステップＳ１０、Ｓ１２、Ｓ１６の処理を行わない。すなわち、図３のステップＳ８において、特定色の読み取りをしないことが選択されている場合には、ステップＳ１４に進んで、ＣＯＬＯＲにＲ（赤）をセットするようにする。
【００８９】
このように、本実施の形態では、原稿に特定色で記載されている情報を送信しないことをユーザからの指示に基づいて選択し、このような選択をした場合には、特定色の読み取りを実行しないようにしたので、上述した第１及び第２の実施の形態における効果に加え、原稿に特定色で記載されている情報を送信しない場合の操作を容易且つ明確にすることができ、ファクシミリ装置の使い勝手を向上することができる。例えば、ＦＡＸ塾において、解答を送信しない場合の操作が容易且つ明確になり、解答を誤って生徒に送ってしまうということを可及的に防止することができる。
【００９０】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００９１】
また、この場合、前記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９２】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００９３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００９４】
本発明の実施態様の例を以下に列挙する。
（実施態様１）  光源から被写体へ向けて光を発光し、上記発光した光の上記被写体からの光をセンサーにて受光して、上記被写体に表されている情報を読み取り、上記読み取った内容に基づいて画像データを得るようにするスキャナー装置であって、上記被写体に特定色で表されている情報を読み取り対象外にするか否かを、ユーザによる操作内容に基づいて選択する読み取り対象選択手段と、上記被写体に特定色で表されている情報を読み取り対象外にすることが上記読み取り対象選択手段により選択された場合に、上記光源の発光により上記特定色に対応した色の光を照射することによって、上記特定色に対応する色で上記被写体に表されている情報を読み取り対象外にする読み取り対象除外手段とを有することを特徴とするスキャナー装置。
（実施態様２）  上記特定色に対応した色の光は、上記特定色であることを特徴とする実施態様１に記載のスキャナー装置。
【００９５】
（実施態様３）  上記光源の発光色は、赤色、緑色、及び青色であることを特徴とする実施態様１または２に記載のスキャナー装置。
【００９６】
（実施態様４）  上記特定色は、赤色であることを特徴とする実施態様１〜３の何れかに記載のスキャナー装置。
【００９７】
（実施態様５）  上記特定色は、赤色、緑色、または青色であることを特徴とする実施態様１〜３の何れかに記載のスキャナー装置。
【００９８】
（実施態様６）  上記ユーザによる操作内容に基づいて、複数の色の中から１色を選択する色選択手段を有し、上記読み取り対象除外手段は、上記色選択手段により選択された色で表されている上記被写体の情報を読み取り対象外にすることを特徴とする実施態様１〜３の何れかに記載のスキャナー装置。
【００９９】
（実施態様７）  上記色選択手段により選択される色は、赤色、緑色、または青色であることを特徴とする実施態様６に記載のスキャナー装置。
【０１００】
（実施態様８）  上記被写体に表されている情報を２値情報として読み取る読み取り手段を有することを特徴とする実施態様１〜７の何れか１態様に記載のスキャナー装置。
【０１０１】
（実施態様９）  上記被写体に特定色で表されている情報を読み取り対象外としないことが、上記読み取り対象選択手段により選択された場合に、上記被写体に表されている情報をカラー情報として読み取るか、または２値情報として読み取るかを、上記ユーザによる操作内容に基づいて選択する読み取り内容選択手段と、上記被写体に表されている情報をカラー情報として読み取ることが上記読み取り内容選択手段により選択された場合には、上記被写体に表されている情報をカラー情報として読み取る一方、上記被写体の情報を２値情報として読み取ることが上記読み取り内容選択手段により選択された場合には、上記被写体に表されている情報を２値情報として読み取る被写体読み取り手段とを有することを特徴とする実施態様１〜８の何れか１態様に記載のスキャナー装置。
【０１０２】
（実施態様１０）  上記被写体読み取り手段は、上記光源の発光色を変えて被写体を複数回読み取って、上記被写体に表されている情報をカラー情報として読み取るようにしたことを特徴とする実施態様９に記載のスキャナー装置。
【０１０３】
（実施態様１１）  上記実施態様１〜１０の何れか１態様に記載のスキャナー装置と、上記スキャナー装置により得られたカラー画像データを、通信回線に送信する画像データ送信手段とを有することを特徴とするファクシミリ装置。
【０１０４】
（実施態様１２）  上記スキャナー装置は、上記被写体に特定色に対応する色で表さている情報を送信するか否かを、上記ユーザによる操作内容に基づいて選択する情報送信選択手段を有し、上記読み取り対象除外手段は、上記被写体に特定色に対応する色で表さている情報を送信しないことが、上記情報送信選択手段により選択された場合に、上記特定色に対応する色で上記被写体に表されている情報を読み取り対象外にすることを特徴とする実施態様１１に記載のファクシミリ装置。
【０１０５】
（実施態様１３）  光源から被写体へ向けて光を発光し、上記発光した光の上記被写体からの光をセンサーにて受光して、上記被写体に表されている情報を読み取り、上記読み取った内容に基づいて画像データを得るようにする画像データ取得方法であって、上記被写体に特定色で表されている情報を読み取り対象外にするか否かを、ユーザによる操作内容に基づいて選択する読み取り対象選択処理と、上記被写体に特定色で表されている情報を読み取り対象外にすることが上記読み取り対象選択処理により選択された場合に、上記光源の発光により上記特定色に対応した色の光を上記被写体に照射することによって、上記特定色に対応する色で上記被写体に表されている情報を読み取り対象外にする読み取り対象除外処理とを行うことを特徴とする画像データ取得方法。
（実施態様１４）  上記特定色に対応した色の光は、上記特定色であることを特徴とする実施態様１３に記載の画像データ取得方法。
【０１０６】
（実施態様１５）  上記ユーザによる操作内容に基づいて、複数の色の中から１色を選択する色選択処理を行い、上記読み取り対象除外処理は、上記色選択処理により選択された色で表されている上記被写体の情報を読み取り対象外にすることを特徴とする実施態様１３または１４に記載の画像データ取得方法。
【０１０７】
（実施態様１６）  上記被写体に表されている情報を２値情報として読み取る被写体読み取り処理を行うことを特徴とする実施態様１３〜１５の何れか１態様に記載の画像データ取得方法。
【０１０８】
（実施態様１７）  上記被写体に特定色で表されている情報を読み取り対象外としないことが、上記読み取り対象選択処理により選択された場合に、上記被写体に表されている情報をカラー情報として読み取るか、または２値情報として読み取るかを、上記ユーザによる操作内容に基づいて選択する読み取り内容選択処理と、上記被写体に表されている情報をカラー情報として読み取ることが上記読み取り内容選択処理により選択された場合には、上記被写体に表されている情報をカラー情報として読み取る一方、上記被写体の情報を２値情報として読み取ることが上記読み取り内容選択処理により選択された場合には、上記被写体に表されている情報を２値情報として読み取る被写体読み取り処理とを行うことを特徴とする実施態様１３〜１５の何れか１態様に記載の画像データ取得方法。
【０１０９】
（実施態様１８）  上記被写体読み取り処理は、上記光源の発光色を変えて被写体を複数回読み取って、上記被写体に表されている情報をカラー情報として読み取るようにしたことを特徴とする実施態様１７に記載の画像データ取得方法。
【０１１０】
（実施態様１９）  上記被写体の情報を、通信回線に送信する画像データ送信処理とを行うことを特徴とする実施態様１３〜１８の何れか１態様に記載の画像データ取得方法。
【０１１１】
（実施態様２０）  上記被写体に特定色に対応する色で表さている情報を送信するか否かを、上記ユーザによる操作内容に基づいて選択する情報送信選択処理を行い、上記読み取り対象除外処理は、上記被写体に特定色に対応する色で表さている情報を送信しないことが、上記情報送信選択処理により選択された場合に、上記特定色に対応する色で上記被写体に表されている情報を読み取り対象外にすることを特徴とする実施態様１３〜１９に記載の画像データ取得方法。
【０１１２】
（実施態様２１）  光源から被写体へ向けて光を発光し、上記発光した光の上記被写体からの光をセンサーにて受光して、上記被写体に表されている情報を読み取り、上記読み取った内容に基づいて画像データを得るようにする画像データ取得方法であって、上記被写体に特定色で表されている情報を読み取り対象外にするか否かを、ユーザによる操作内容に基づいて選択する読み取り対象選択処理と、上記被写体に特定色で表されている情報を読み取り対象外にすることが上記読み取り対象選択処理により選択された場合に、上記光源の発光により上記特定色に対応した色の光を上記被写体に照射することによって、上記特定色に対応する色で上記被写体に表されている情報を読み取り対象外にする読み取り対象除外処理とをコンピュータに実行させることを特徴とするコンピュータプログラム。
【０１１３】
（実施態様２２）  上記実施態様２１に記載のコンピュータプログラムを記録したことを特徴とするコンピュータ読み取り可能な記録媒体。
【０１１４】
【発明の効果】
以上説明したように本発明によれば、被写体に表されている情報を読み取るに際し、上記被写体に特定色で表されている情報を読み取り対象外にすることが選択された場合には、上記特定色に対応する色で上記被写体に表されている情報を読み取り対象外にするようにしたので、上記特定色に対応する色で上記被写体に表されている情報を読み取らないようにすることができ、上記被写体に表されている情報の一部の情報のみを読み取ることができる。
【図面の簡単な説明】
【図１】本発明の第１の実施の形態を示し、スキャナー装置の構成の一例を示したブロック図である。
【図２】本発明の第１の実施の形態を示し、スキャナー装置による読み取り動作を説明するタイムチャートである。
【図３】本発明の第１の実施の形態を示し、スキャナー装置における制御動作の一例を説明するフローチャートである。
【図４】本発明の実施の第１の形態を示し、図３に続くスキャナー装置における制御動作の一例を説明するフローチャートである。
【図５】本発明の実施の第１の形態を示し、図３に続くスキャナー装置における制御動作の一例を説明するフローチャートである。
【図６】本発明の実施の第１の形態を示し、図５に続くスキャナー装置における制御動作の一例を説明するフローチャートである。
【図７】本発明の実施の第１の形態を示し、図５に続くスキャナー装置における制御動作の一例を説明するフローチャートである。
【図８】本発明の実施の第１の形態を示し、図７に続くスキャナー装置における制御動作の一例を説明するフローチャートである。
【図９】本発明の第２の実施の形態を示し、ファクシミリ装置の構成の一例を示したブロック図である。
【図１０】本発明の第２の実施の形態を示し、ファクシミリ装置における制御動作の一例を説明するフローチャートである。
【図１１】本発明の第２の実施の形態を示し、図１０に続くファクシミリ装置における制御動作の一例を説明するフローチャートである。
【図１２】本発明の第２の実施の形態を示し、図１０に続くファクシミリ装置における制御動作の一例を説明するフローチャートである。
【図１３】本発明の第２の実施の形態を示し、図１２に続くファクシミリ装置における制御動作の一例を説明するフローチャートである。
【図１４】本発明の第３の実施の形態を示し、ファクシミリ装置における主要な制御動作の一例を説明するフローチャートである。
【符号の説明】
１  制御部
２  発振子
３  赤色（Ｒ）ＬＥＤ
４  緑色（Ｇ）ＬＥＤ
５  青色（Ｂ）ＬＥＤ
６〜８  トランジスタ
９〜１１  制限抵抗
１２  モータドライバ
１３  Ｒモータ
１４  イメージセンサー
１５  増幅器
１６  Ａ／Ｄ変換器
１７  転送クロック
１８  ライン同期信号
１９  画像信号
２０  画像信号
２２  ＮＣＵ
２４  電話機
２６  ハイブリッド回路
２８  変復調器
３０  発呼回路
３２  加算回路
３４  読取回路
３６  記録回路
３８  メモリ回路
４０  操作部
４２  ＣＰＵ
４４  ＲＯＭ
４６  バス
【図１】
2004193785.tif 000003
【図２】
2004193785.tif 000004
【図３】
2004193785.tif 000005
【図４】
2004193785.tif 000006
【図５】
2004193785.tif 000007
【図６】
2004193785.tif 000008
【図７】
2004193785.tif 000009
【図８】
2004193785.tif 000010
【図９】
2004193785.tif 000011
【図１０】
2004193785.tif 000012
【図１１】
2004193785.tif 000013
【図１２】
2004193785.tif 000014
【図１３】
2004193785.tif 000015
【図１４】
2004193785.tif 000016